(57)【要約】【課題】引出し式の容器と、容器の移動に伴って回転する蓋部材を備えたものにおいて、蓋部材が閉まる際の音を抑制する。【解決手段】冷蔵庫は、冷蔵庫本体と、貯蔵室を上下方向に仕切って貯蔵室内に別室を形成する天井部材と、別室の前側の開口部を通して別室に出し入れ可能に構成された引き出し式の容器と、容器の前後方向の移動に連動して開閉する蓋部材と、を備える。容器は、容器の左右の側壁部側に設けられたガイド部と、容器の前記左右の側壁部側でかつガイド部よりも前方に設けられた係止部と、を有する。蓋部材は、容器が前方へ移動する際にガイド部に沿って摺動することで回転軸を支点に蓋部材を開方向へ回転させるとともに、容器が後方へ移動する際にガイド部に接触する摺動部と、容器が後方へ移動して蓋部材が閉方向へ回転した場合に係止部に接触する接触部と、を有している。【選択図】図６
2020148418.tif 000002
【特許請求の範囲】
【請求項１】
内部に貯蔵室を有する冷蔵庫本体と、
前記貯蔵室内に設けられて前記貯蔵室を上下方向に仕切って前記貯蔵室内に別室を形成する天井部材と、
前記別室の前側の開口部を通して前記別室に出し入れ可能に構成された引き出し式の容器と、
前記天井部材に回転可能に支持された回転軸を有し、前記容器の前後方向の移動に連動して前記回転軸を支点に回転することで前記開口部を開閉する蓋部材と、
を備え、
前記容器は、
前記容器の左右の側壁部側に設けられ、前方へ行くほど下方へ傾斜したガイド部と、
前記容器の前記左右の側壁部側でかつ前記ガイド部よりも前方に設けられた係止部と、
を有し、
前記蓋部材は、
前記容器が前方へ移動する際に前記ガイド部に沿って摺動することで前記回転軸を支点に前記蓋部材を開方向へ回転させるとともに、前記容器が後方へ移動する際に前記ガイド部に接触する摺動部と、
前記容器が後方へ移動して前記蓋部材が閉方向へ回転した場合に前記係止部に接触する接触部と、
を有している、
冷蔵庫。
【請求項２】
前記接触部は、前記係止部に対して線又は点で接触する、
請求項１に記載の冷蔵庫。
【請求項３】
前記係止部は、前後方向へ延びている、
請求項１又は２に記載の冷蔵庫。
【請求項４】
前記係止部は、前記ガイド部の上下方向の範囲内に設けられている、
請求項１から３のいずれか一項に記載の冷蔵庫。
【請求項５】
前記ガイド部は、傾斜角度が異なる少なくとも３つの領域を有している、
請求項１から４のいずれか一項に記載の冷蔵庫。
【請求項６】
前記接触部は、前記摺動部と兼用されている、
請求項１から５のいずれか一項に記載の冷蔵庫。
【請求項７】
前記容器が前後方向の後端に位置し前記蓋部材が閉鎖された状態において、前記接触部は前記係止部の下方に位置している、
請求項１から６のいずれか一項に記載の冷蔵庫。
【請求項８】
前記容器は、前記ガイド部の前方に設けられ、前記容器が前記別室内に収納されている状態において前記摺動部又は前記接触部の前方への移動を規制することで前記蓋部材が開方向へ回転することを規制する規制部を更に有し、
前記容器が後方へ移動して前記蓋部材が閉まる際に当該接触部又は前記摺動部が前記規制部に接触する前に前記接触部が前記係止部に接触する、
請求項１から７のいずれか一項に記載の冷蔵庫。
【請求項９】
前記係止部と前記規制部との間に隙間を有している、
請求項８に記載の冷蔵庫。
【発明の詳細な説明】
【技術分野】
【０００１】
本発明の実施形態は、冷蔵庫に関する。
【背景技術】
【０００２】
従来、冷蔵庫は、例えばチルド室に設けられた、食品を収納するための引出し式の容器と、この容器の出し入れに伴って開閉する回転式の蓋部材と、を備えるものが公知である。このような構成において、容器を前方つまり引出す方向へ移動させると、蓋部材が回転しながら開き、容器を後方へつまり容器を収納する方向へ移動させると、蓋部材が回転しながら閉じる。しかし、従来の構成では、容器を後方へ移動させてチルド室に戻す際に、蓋部材が跳ね上がるようにして閉まり、これにより大きな音が生じることがあった。
【先行技術文献】
【特許文献】
【０００３】
【特許文献１】特開２０１７−２１５０７０号公報
【発明の概要】
【発明が解決しようとする課題】
【０００４】
そこで、引出し式の容器と、容器の移動に伴って回転する蓋部材を備えたものにおいて、蓋部材が閉まる際の音を抑制することができる冷蔵庫を提供する。
【課題を解決するための手段】
【０００５】
実施形態の冷蔵庫は、内部に貯蔵室を有する冷蔵庫本体と、前記貯蔵室内に設けられて前記貯蔵室を上下方向に仕切って前記貯蔵室内に別室を形成する天井部材と、前記別室の前側の開口部を通して前記別室に出し入れ可能に構成された引き出し式の容器と、前記天井部材に回転可能に支持された回転軸を有し、前記容器の前後方向の移動に連動して前記回転軸を支点に回転することで前記開口部を開閉する蓋部材と、を備える。前記容器は、前記容器の左右の側壁部側に設けられ、前方へ行くほど下方へ傾斜したガイド部と、前記容器の前記左右の側壁部側でかつ前記ガイド部よりも前方に設けられた係止部と、を有している。前記蓋部材は、前記容器が前方へ移動する際に前記ガイド部に沿って摺動することで前記回転軸を支点に前記蓋部材を開方向へ回転させるとともに、前記容器が後方へ移動する際に前記ガイド部に接触する摺動部と、前記容器が後方へ移動して前記蓋部材が閉方向へ回転した場合に前記係止部に接触する接触部と、を有している。
【図面の簡単な説明】
【０００６】
【図１】一実施形態による冷蔵庫の概略構成の一例を示す斜視図
【図２】一実施形態による冷蔵庫について、チルド室ユニットの一例を示す斜視図
【図３】一実施形態による冷蔵庫について、上段容器の一例を示す斜視図
【図４】一実施形態による冷蔵庫について、蓋部材の一例を示す斜視図
【図５】一実施形態による冷蔵庫について、側面側から見たチルド室ユニットの構成を示す図
【図６】一実施形態による冷蔵庫について、図５におけるチルド室ユニットの前側部分を拡大して示す図
【図７】一実施形態による冷蔵庫について、上段容器を引き出した際の蓋部材の動作を示す図（その１）
【図８】一実施形態による冷蔵庫について、上段容器を引き出した際の蓋部材の動作を示す図（その２）
【図９】一実施形態による冷蔵庫について、上段容器を引き出した際の蓋部材の動作を示す図（その３）
【図１０】一実施形態による冷蔵庫について、上段容器を引き出した際の蓋部材の動作を示す図（その４）
【図１１】一実施形態による冷蔵庫について、上段容器を引き出した際の蓋部材の動作を示す図（その５）
【図１２】一実施形態による冷蔵庫について、上段容器を引き出した際の蓋部材の動作を示す図（その６）
【図１３】一実施形態による冷蔵庫について、上段容器を押し込んだ際の蓋部材の動作を示す図（その１）
【図１４】一実施形態による冷蔵庫について、上段容器を押し込んだ際の蓋部材の動作を示す図（その２）
【図１５】一実施形態による冷蔵庫について、上段容器を押し込んだ際の蓋部材の動作を示す図（その３）
【図１６】一実施形態による冷蔵庫について、上段容器を押し込んだ際の蓋部材の動作を示す図（その４）
【図１７】一実施形態による冷蔵庫について、上段容器を押し込んだ際の蓋部材の動作を示す図（その５）
【図１８】変形例による冷蔵庫について、図５におけるチルド室ユニットの前側部分を拡大して示す図
【発明を実施するための形態】
【０００７】
以下、一実施形態による冷蔵庫について、図面を参照して説明する。
まず、図１を参照して、冷蔵庫１の概略構成について説明する。図１に示すように、冷蔵庫１は、前面が開口した縦長矩形箱状の冷蔵庫本体１０内に、複数の貯蔵室を有して構成されている。以下の説明では、冷蔵庫本体１０の開口側を、冷蔵庫１の前側とし、開口とは反対側を、冷蔵庫１の後ろ側とする。また、冷蔵庫１を図１の姿勢で床面に設置した場合における重力方向に対する上下方向を、冷蔵庫１の上下方向とする。また、図１の冷蔵庫１を前側から見た場合における左右方向を、冷蔵庫１の左右方向とする。
【０００８】
図１に示すように、冷蔵庫１は、冷蔵庫本体１０を主体として構成されている。冷蔵庫本体１０は、前面が開口した断熱性を有する箱体で構成されており、内部に複数の貯蔵室を有している。冷蔵庫本体１０は、貯蔵物を貯蔵するための複数の貯蔵室として、例えば冷蔵室１１、野菜室１２、製氷室１３、小冷凍室１４、及び冷凍室１５を備えている。冷蔵室１１、野菜室１２は、冷蔵温度帯の貯蔵室である。また、製氷室１３、小冷凍室１４、及び冷凍室１５は、冷凍温度帯の貯蔵室である。
【０００９】
冷蔵室１１は、冷蔵庫本体１０の最上部に設けられている。野菜室１２は、冷蔵室１１の下方に設けられている。製氷室１３及び小冷凍室１４は、野菜室１２の下方にあって、左右に並べて設けられている。冷凍室１５は、製氷室１３及び小冷凍室１４の下方、つまり冷蔵庫本体１０の最下部に設けられている。
【００１０】
冷蔵庫１は、冷蔵室扉１１１、１１２、野菜室扉１２１、製氷室扉１３１、小冷凍室扉１４１、及び冷凍室扉１５１を備えている。冷蔵室扉１１１、１１２は、例えば観音開きのヒンジ開閉式の扉であって、冷蔵室１１の前側の開口を開閉する。野菜室扉１２１、製氷室扉１３１、小冷凍室扉１４１、及び冷凍室扉１５１は、いずれも引き出し式であって、それぞれ野菜室１２、製氷室１３、小冷凍室１４、及び冷凍室１５の前側の開口を開閉する。
【００１１】
次に、図２から図６も参照して、チルド室ユニット２０の構成について説明する。冷蔵庫１は、図１及び図２に示すように、チルド室ユニット２０を備えている。チルド室ユニット２０は、例えば冷蔵室１１の下部に設けられており、図５等に示すように、肉類、魚介類、発酵食品等の収納に適したチルド室１６を冷蔵室１１の一画に形成する。チルド室ユニット２０は、天井部材２１、ベース部材２２、下段容器２３、上段容器３０、及び蓋部材４０を含んで構成されている。チルド室１６の周囲は、冷蔵庫本体１０の内面及び天井部材２１に囲まれている。チルド室１６の前側部分に開口部１６１を有している。
【００１２】
天井部材２１は、全体として矩形の平板状に構成されており、貯蔵室を上下方向に仕切って貯蔵室内に別室を形成する。本実施形態の場合、天井部材２１は、冷蔵室１１の下部を上下方向に仕切ってチルド室１６の天井面を構成している。天井部材２１は、天板２１１、天板枠体２１２、及び取付部２１３を有している。本実施形態の場合、天板２１１は、例えばガラスまたは樹脂製の透明または半透明の部材によって長方形の板状に形成されている。天板枠体２１２は、例えば樹脂製であって、内部が天板２１１の形状に貫通した枠状に構成されている。天板２１１は、天板枠体２１２の内側に取り付けられている。
【００１３】
取付部２１３は、天板枠体２１２と一体に形成されており、天板枠体２１２から左右方向に突出している。詳細は図示しないが、天板枠体２１２の右側に設けられた取付部２１３は、冷蔵庫本体１０の右の内面に取り付けられ、天板枠体２１２の左側に設けられた取付部２１３は、製氷用の給水タンク１７の図示しない収納部の壁に取り付けられている。これにより、天井部材２１は、冷蔵庫本体１０に移動不可能に固定される。下段容器２３は、例えば透明の樹脂製であって、上面が開口した浅い容器状に形成されており、チルド室１６に対して前後方向に移動可能に構成されている。
【００１４】
ベース部材２２は、冷蔵室１１内において冷蔵庫本体１０の内面に固定されている。下段容器２３及び上段容器３０は、それぞれベース部材２２に載置されており、チルド室１６に対してそれぞれ独立して前後方向にスライド移動可能に構成されている。この場合、ベース部材２２は、図５及び図６等に示すように、レール受部２２１、前端停止部２２２、及び後端停止部２２３を有している。レール受部２２１、前端停止部２２２、及び後端停止部２２３は、ベース部材２２の左右両端部に設けられている。
【００１５】
レール受部２２１は、前後方向に延びており、上段容器３０の前後方向への移動を案内する。レール受部２２１の後側部分は、レール受部２２１の前側部分よりも下方に位置している。また、レール受部２２１の後側部分と前側部分とは後方へ向かうほど下降する斜面によって接続されている。前端停止部２２２は、レール受部２２１の前端部に設けられており、レール受部２２１から上方に突出した段差状に形成されている。後端停止部２２３は、レール受部２２１の後端部に設けられており、レール受部２２１から上方に突出した段差状に形成されている。
【００１６】
前端停止部２２２は、上段容器３０が前方へ引き出された場合に前方への更なる移動を規制し、これにより上段容器３０の前方への移動端の位置つまり前端位置を規定する。後端停止部２２３は、上段容器３０が後方へ押し込まれた場合に後方への更なる移動を規制し、これにより上段容器３０の後方への移動端の位置つまり後端位置を規定する。
【００１７】
上段容器３０は、図２に示すように下段容器２３の上側に設けられている。上段容器３０は、例えば透明の樹脂製であって、全体として上面及び前面の上側部分が開口した浅い容器状に形成されている。上段容器３０は、チルド室１６に対して前後方向に移動可能であり、チルド室１６の前側の開口部１６１を通してチルド室１６に出し入れ可能に構成されている。
【００１８】
上段容器３０は、レール部３１、ガイド部３２、規制部３３、及び係止部３４を有している。レール部３１、ガイド部３２、規制部３３、及び係止部３４は、上段容器３０を構成する左右両側の側壁部３０１側に設けられている。本実施形態の場合、レール部３１、ガイド部３２、規制部３３、及び係止部３４は、側壁部３０１の外側面に設けられており、側壁部３０１から左右外側へ向かって突出している。本実施形態の場合、レール部３１、ガイド部３２、規制部３３、及び係止部３４は、上段容器３０と一体に形成されている。
【００１９】
なお、レール部３１、ガイド部３２、規制部３３、及び係止部３４は、上段容器３０と別部材に構成することもできる。また、この場合、上段容器３０と別部材に構成されたレール部３１、ガイド部３２、規制部３３、及び係止部３４は、それぞれ上段容器３０の側壁部３０１に直接取り付けても良いし、他の部材を介在して取り付けても良い。また、レール部３１、ガイド部３２、規制部３３、及び係止部３４は、上段容器３０の側壁部３０１の内側面に設けられていても良い。
【００２０】
レール部３１は、ベース部材２２のレール受部２２１に対応しており、前後方向へ延びた長尺状に形成されている。レール部３１は、ベース部材２２のレール受部２２１に支持されており、上段容器３０が前後方向に移動する際にレール受部２２１上を摺動する。レール部３１は、段差部３１１を有している。段差部３１１は、レール部３１の前後方向の後部分に設けられており、ベース部材２２に設けられた前端停止部２２２に係止可能に構成されている。上段容器３０が前方へ引き出された際に、段差部３１１が前端停止部２２２に引っ掛かることで、上段容器３０の前方への更なる移動が規制される。
【００２１】
ガイド部３２は、上段容器３０の前後方向の移動に連動させて蓋部材４０を回転させるためのものである。すなわち、ガイド部３２は、上段容器３０の前後方向の移動を、蓋部材４０の回転方向の移動に変換して蓋部材４０に伝達するための直動カムとして機能する。ガイド部３２は全体として前後方向つまり上段容器３０の移動方向に長い長尺の板状に形成されており、前方へ行くほど下方へ傾斜している。本実施形態の場合、ガイド部３２は、水平方向に対する角度が異なる複数の領域から構成されている。この場合、ガイド部３２は、第１領域３２１、第２領域３２２、第３領域３２３、及び第４領域３２４を有している。
【００２２】
上段容器３０の前側から順に後側へ向かって、第１領域３２１と、第２領域３２２と、第３領域３２３と、第４領域３２４と、が配置されている。この場合、第１領域３２１、第２領域３２２、第３領域３２３、及び第４領域３２４における水平方向に対するそれぞれの角度は、第１領域３２１、第２領域３２２、第３領域３２３、及び第４領域３２４の順に小さくなるように設定されている。つまり、水平方向に対する第１領域３２１の角度は、他の領域３２２、３２３、３２４の角度に対して最も大きい。すなわち、第１領域３２１は、他の領域３２２、３２３、３２４に対して最も急な斜面に形成されている。
【００２３】
これに対し、水平方向に対する第４領域３２４の角度は、他の領域３２１、３２２、３２３の角度に対して最も小さい。この場合、第４領域３２４は、水平またはほぼ水平に設定されている。この場合、ガイド部３２の下端は、ガイド部３２の前端部つまり第１領域３２１の前端部となる。また、ガイド部３２の下端は、第４領域３２４全体となる。
【００２４】
規制部３３は、上段容器３０がチルド室１６内に収納されている状態において、蓋部材４０に外力が加わった場合に蓋部材４０が不用意に回転して開くことを規制する機能を有する。規制部３３は、ガイド部３２の前方に設けられている。規制部３３は、上下方向の中央部に対し上下方向の両端部が後方側に位置するように屈曲した長尺の板状に形成されている。
【００２５】
規制部３３は、上段容器３０がチルド室１６内に収納されている状態において、蓋部材４０が開方向つまり前方へ回転しようとした際に、後述する突起部４５に接触して当該突起部４５の前方への移動を規制することで、蓋部材４０が開方向へ回転することを規制する機能を有する。また、規制部３３は、上段容器３０がチルド室１６に押し込まれて後方へ移動する際に、突起部４５に接触して突起部４５を後方へ移動させることで、蓋部材４０を閉方向へ回転させる機能を有する。
【００２６】
係止部３４は、上段容器３０が押し込まれてチルド室１６に収納される際に、蓋部材４０が跳ね上がって大きな音を発生させることを抑制する機能を有する。係止部３４は、前後方向に延びた長尺の板状に形成されており、ガイド部３２の前方でかつ規制部３３の後方に設けられている。すなわち、係止部３４は、ガイド部３２と規制部３３との間に設けられており、少なくともガイド部３２から離間している。
【００２７】
係止部３４は、規制部３３から離れて別体に設けられている。本実施形態の場合、係止部３４は、ガイド部３２の第２領域３２２よりも前方に設けられている。また、本実施形態の場合、係止部３４は、ガイド部３２と規制部３３との両方から離間している。すなわち、図６に示すように、係止部３４と規制部３３との間には隙間Ｓが形成されている。換言すれば、係止部３４は、規制部３３の後方に設けられている。なお、係止部３４は、上述したように規制部３３に連続して、つまり接続されていても良い。係止部３４は、ガイド部３２の第１領域３２１と上下方向において一部が重なっていても良い。
【００２８】
また、係止部３４は、ガイド部３２の上下方向の設置位置の範囲内に設けられている。つまり、係止部３４は、ガイド部３２の下端つまり第１領域３２１の先端部よりも上方に位置し、かつ、ガイド部３２の上端つまり第４領域３２４よりも下方に位置している。本実施形態の場合、係止部３４は、第２領域３２２の上下方向の範囲内に設けられている。
【００２９】
蓋部材４０は、上段容器３０の前後方向の移動に連動して、上段容器３０が開口部１６１を通過できるように開口部１６１を開閉する機能を有する。蓋部材４０は、図４及び図６等に示すように、蓋板４１、蓋枠体４２、回転軸４３、腕部４４、及び突起部４５を有している。本実施形態の場合、蓋枠体４２、回転軸４３、腕部４４、及び突起部４５は、同一の部材によって一体に形成されている。なお、蓋枠体４２、回転軸４３、腕部４４、及び突起部４５は、それぞれ別部材で構成しても良い。また、蓋板４１も含めて、蓋枠体４２、回転軸４３、腕部４４、及び突起部４５と同一の部材によって一体に形成しても良い。
【００３０】
本実施形態の場合、蓋板４１は、例えばガラスまたは樹脂製の透明または半透明の部材によって長方形の板状に形成されている。蓋枠体４２は、例えば樹脂製であって、内部が蓋板４１の形状に貫通した枠状に構成されている。蓋板４１は、蓋枠体４２の内側に取り付けられている。
【００３１】
回転軸４３は、蓋枠体４２に２つ設けられている。各回転軸４３は、円柱状に形成されており、それぞれ蓋枠体４２の長手方向の両端部つまり左右方向の両端部でかつ短手方向の上端部付近にあって、左右方向の外側へ向かって突出して設けられている。回転軸４３は、蓋部材４０の回転中心となる。この場合、天井部材２１の天板枠体２１２は、図６に示すように軸受部２１４を有している。軸受部２１４は、回転軸４３を受け入れて回転軸４３を回転可能に支持する。これにより、回転軸４３は、天井部材２１に回転可能に支持される。
【００３２】
腕部４４は、蓋枠体４２に２つ設けられている。各腕部４４は、全体として三角または台形の板状であって、蓋枠体４２の長手方向の両端部つまり左右方向の両端部に設けられており、後方へ向かって延びている。腕部４４は、上段容器３０の左右の側壁部３０１よりも左右の外側に位置している。つまり、上段容器３０は、蓋枠体４２に設けられた左右の腕部４４に挟まれている。
【００３３】
突起部４５は、各腕部４４に設けられている。突起部４５は、例えば円柱状の突起であって、腕部４４から蓋部材４０の長手方向の中心側つまり上段容器３０の側壁部３０１側へ向かって突出している。突起部４５は、腕部４４の後端部つまり三角形状または台形形状の角部のうち後端となる角部に設けられている。突起部４５は、ガイド部３２と係止部３４との間を通過可能に構成されている。換言すれば、ガイド部３２と係止部３４との間には、突起部４５の外形寸法よりも大きい隙間、つまり突起部４５が通過可能な隙間が形成されている。
【００３４】
突起部４５は、摺動部として機能する。すなわち、突起部４５は、上段容器３０が前方へ移動する際にガイド部３２に沿って摺動することで回転軸４３を支点に蓋部材を開方向へ回転させる。また、突起部４５は、上段容器３０が後方へ移動する際にガイド部３２に沿って摺動することで回転軸４３を支点に蓋部材４０が自重により閉方向へ回転することを規制する。
【００３５】
また、突起部４５は、接触部としても機能する。すなわち、突起部４５は、上段容器３０が後方へ移動する際に突起部４５がガイド部３２から離れて蓋部材４０が閉方向へ回転した場合に係止部３４に接触する。したがって、本実施形態の場合、突起部４５は、摺動部と接触部とを兼用している。なお、摺動部と接触部とをそれぞれ別に構成しても良い。
【００３６】
次に、図７から図１７を参照して、蓋部材４０の開閉動作について説明する。図７に示すように、上段容器３０がチルド室１６に収納されている状態において、チルド室１６の開口部１６１は、蓋部材４０によって閉鎖されている。このとき、蓋部材４０は、突起部４５が規制部３３に引っ掛かることで開方向への回転が規制されている。つまり、上段容器３０がチルド室１６に収納されている状態では、蓋部材４０に外力が加わっても蓋部材４０が不用意に開かないようになっている。
【００３７】
ユーザが上段容器３０を前方へ引き出すと、図８に示すように、突起部４５がガイド部３２の第２領域３２２に接触する。引き続きユーザが上段容器３０を前方へ引き出すと、図９に示すように、突起部４５がガイド部３２に押されて、第２領域３２２及び第１領域３２１の斜面に沿って前側下方へ移動する。これにより、蓋部材４０は、回転軸４３を支点に前方向つまり開方向への回転を開始し、上段容器３０が開口部１６１を通過できるように開口部１６１において蓋部材４０の開放を開始する。
【００３８】
引き続きユーザが上段容器３０を前方へ引き出し、これにより図１０に示すように突起部４５が回転軸４３の前方に至ると、突起部４５は、ガイド部３２に押されて、ガイド部３２の斜面に沿って前側上方へ移動する。これにより、蓋部材４０は、図１０及び図１１に示すように、回転軸４３を支点に開方向へ更に回転する。
【００３９】
引き続きユーザが上段容器３０を前方へ引き出すと、図１２に示すように、突起部４５が第４領域３２４上を摺動する。この場合、第４領域３２４は水平に設定されているため、突起部４５の上下方向への移動はなく、したがって、蓋部材４０の開閉は停止する。その後、ユーザが更に上段容器３０を引き出すと、前端停止部２２２まで引き出すと、段差部３１１が前端停止部２２２に引っ掛かり、これにより上段容器３０の前方へ移動が停止される。
【００４０】
また、上段容器３０が押し込まれてチルド室１６に収納される際は、上述した動作と逆の動作が行われる。すなわち、蓋部材４０には、蓋部材４０の自重によって下方への力が作用している。そのため、ユーザが上段容器３０を後方へ押し込むと、まず図１３に示すように、突起部４５は、蓋部材４０の自重によってガイド部３２の第３領域３２３上を摺動することで、第３領域３２３の斜面に沿って下方へ移動する。
【００４１】
引き続き上段容器３０が押し込まれると、図１４及び図１５に示すように、突起部４５は、蓋部材４０の自重によって更に第２領域３２２から第１領域３２１にかけて下方へ移動する。このとき、水平に対する第２領域３２２及び第１領域３２１の角度は、第３領域３２３に比べて大きくなっている。このため、突起部４５は、第２領域３２２から第１領域３２１にかけて下方へ移動する速度が速くなる。
【００４２】
また、第２領域３２２及び第１領域３２１の前後方向の長さ寸法は、第３領域３２３の前後方向の長さ寸法よりも短い。このため、上段容器３０が押し込まれる速度が速いと、突起部４５が第２領域３２２及び第１領域３２１から離間する。この場合、突起部４５は、第２領域３２２及び第１領域３２１による支持を失う。そのため、突起部４５は、自由落下に近い速度で下方へ移動する。このように、上段容器３０が奥側へ押し込まれるほど、突起部４５の下方への移動が速くなり、それに伴い、蓋部材４０が回転する速度も速くなる。そして、従来構成においては、蓋部材４０が閉まる直前において、下方への移動速度が上昇した突起部４５が大きく跳ね上がり、突起部４５がガイド部３２や規制部３３等に衝突して大きな音が生じることがあった。
【００４３】
これに対し、本実施形態によれば、上段容器３０は、係止部３４を有している。そして、突起部４５は、図１６に示すように、係止部３４に接触し、これにより突起部４５の大きな跳ね上がりが抑制される。このため、突起部４５が大きく跳ね上がってガイド部３２や規制部３３等に衝突し、これにより大きな音が生じることが抑制される。
【００４４】
その後、上段容器３０が更に押し込まれると、図１７に示すように、レール部３１の後端部がベース部材２２の後端停止部２２３に接触し、後方への移動が停止される。これにより、上段容器３０がチルド室１６内に完全に収納されるとともに、蓋部材４０によってチルド室１６の開口部１６１が閉鎖される。このとき、突起部４５は、規制部３３に接触する前に係止部３４に接触する。すなわち、図１５から図１７にかけて示すように、蓋部材４０が閉まる際に跳ね上がった突起部４５は、まず、図１５に示すように、係止部３４に接触して消音される。その後、突起部４５は、係止部３４から離れた後に、規制部３３に接触する。これにより、突起部４５が規制部３３に接触して押し込まれることで、蓋部材４０が閉じるとともに開方向への回転が規制される。
【００４５】
以上説明した実施形態によれば、冷蔵庫１は、冷蔵室１１を有する冷蔵庫本体１０と、チルド室ユニット２０と、を備えている。チルド室ユニット２０は、天井部材２１と、上段容器３０と、蓋部材４０と、を有している。天井部材２１は、冷蔵室１１内に設けられており、冷蔵室１１を上下方向に仕切って冷蔵室１１内にチルド室１６を形成する。上段容器３０は、チルド室１６の前側の開口部１６１を通してチルド室１６に出し入れ可能に構成された引き出し式の容器に構成されている。蓋部材４０は、天井部材２１に回転可能に支持された回転軸４３を有している。蓋部材４０は、上段容器３０の前後方向の移動に連動して回転軸４３を支点に回転することで開口部１６１を開閉する。
【００４６】
また、上段容器３０は、ガイド部３２と、係止部３４と、を有している。ガイド部３２は、上段容器３０の左右の側壁部３０１側、この場合側壁部３０１に設けられており、前方へ行くほど下方へ傾斜している。係止部３４は、上段容器３０の左右の側壁部３０１でかつガイド部３２よりも前方に設けられている。
【００４７】
そして、蓋部材４０は、摺動部及び接触部としての突起部４５を有している。摺動部としての突起部４５は、上段容器３０が引き出されて前方へ移動する際にガイド部３２に沿って摺動することで回転軸４３を支点に蓋部材４０を開方向へ回転させる機能を有する。また、本実施形態の場合、摺動部としての突起部４５は、上段容器３０が後方へ移動する際にガイド部３２に接触することで回転軸４３を支点に蓋部材４０が閉方向へ回転することを規制する機能を有する。そして、接触部としての突起部４５は、上段容器３０が押し込まれて後方へ移動して蓋部材４０が閉方向へ回転した場合に係止部３４に接触する。
【００４８】
これによれば、図１６に示すように、蓋部材４０が閉じる際に突起部４５が係止部３４に接触することで、突起部４５の大きな跳ね上がりが抑制される。このため、突起部４５が大きく跳ね上がってガイド部３２や規制部３３等に衝突し、これにより大きな音が生じることが抑制される。このように、本実施形態によれば、引出し式の上段容器３０と、上段容器３０の移動に伴って回転する蓋部材４０を備えたものにおいて、蓋部材４０が閉まる際の音を抑制することができる。
【００４９】
ここで、接触部としての突起部４５は、係止部３４に対する接触面積が大きくなるほど、突起部４５が係止部３４に接触した際に生じる音も大きくなる。そこで、接触部としての突起部４５は、係止部３４に対して線又は点で接触する。本実施形態の場合、突起部４５は、円柱状に形成されている。この場合、突起部４５は、係止部３４に対して、突起部４５の円柱状の外周面のうち当該突起部４５の中心軸方向に沿った線部分で接触、すなわち線で接触する。これによれば、係止部３４に対する突起部４５の接触面積を極力小さくし、これにより突起部４５が係止部３４に接触した際に生じる音も軽減できる。その結果、蓋部材４０が閉まる際の音を更に低減することができる。
【００５０】
なお、接触部としての突起部４５は、例えば係止部３４側へ向かって突出した半球状に形成しても良い。この場合、突起部４５は、係止部３４に対して当該突起部４５の半球状の頂点部分で接触、すなわち点で接触する。これによれば、係止部３４に対する突起部４５の接触面積を更に小さくすることができ、その結果、蓋部材４０が閉まる際の音を更に低減することができる。
【００５１】
ここで、例えば上段容器３０がチルド室１６から前方に出ている状態で蓋部材４０が閉まってしまうと、上段容器３０と蓋部材４０との間に指が挟まれるなどの可能性がある。そこで、係止部３４は、前後方向へ延びている。すなわち、係止部３４は、水平方向へ長く延びている。この場合、突起部４５が係止部３４に接触している間は、蓋部材４０は完全には閉まらない。そのため、係止部３４を前後方向の長く形成し、係止部３４の長さを調整することで、蓋部材４０が閉まるタイミングを調整することができる。つまり、係止部３４の長さを調整することで、蓋部材４０が完全に閉まる際の上段容器３０の位置を任意に設定することができる。
【００５２】
換言すれば、係止部３４の長さを調整することで、上段容器３０がチルド室１６に完全に収納された位置で蓋部材４０が閉まるように設定することができる。これによれば、例えば上段容器３０がチルド室１６から前方に出ている状態で蓋部材４０が閉まってしまうことを防止することができる。これにより、上段容器３０と蓋部材４０との間に指が挟まれたりすることを防ぐことができ、その結果、安全性の向上が図られる。
【００５３】
係止部３４は、ガイド部３２の上下方向の範囲内に設けられている。これによれば、係止部３４に対して、接触部としての突起部４５をより確実に接触させることができる。その結果、蓋部材４０が閉まる際の音をより確実に軽減することができる。
【００５４】
また、ガイド部３２は、傾斜角度が異なる少なくとも３つの領域３２１、３２２、３２３を有している。すなわち、ガイド部３２は、第１領域３２１、第２領域３２２、及び第３領域３２３を有している。そして、ガイド部３２は、各領域３２１、３２２、３２３によって、３段階に傾斜している。この場合、第１領域３２１、第２領域３２２、及び第３領域３２３の順に、水平に対する角度が小さくなるように設定されている。そのため、上段容器３０の引き出し始めの段階においては、突起部４５が第１領域３２１に沿って前方へ大きく押し出されるため、上段容器３０の少ない移動量で蓋部材４０を大きく回転させて開くことができる。そして、上段容器３０の引き出しの終盤段階においては、突起部４５は傾斜の緩い第３領域３２３に沿って摺動するため、上段容器３０の移動量に対して蓋部材４０の回転を少なくし、これにより蓋部材４０の位置を開いた状態に維持することができる。
【００５５】
また、突起部４５は、接触部と摺動部とを兼用している。これによれば、接触部と摺動部とを別々に構成した場合に対して部品点数を削減することができる。そのため、蓋部材４０をより低コストで製造することができる。
【００５６】
また、上段容器３０が前後方向の後端に位置し蓋部材４０が閉鎖された状態において、接触部としての突起部４５は、図６に示すように係止部３４の下方に位置している。これによれば、上段容器３０を引き出す際に、係止部３４が突起部４５に接触して上段容器３０の前方への移動が阻害されることを防ぐことができる。したがって、上段容器３０を円滑に引き出すことができ、その結果、上段容器３０を引き出す際の操作性の向上が図られる。
【００５７】
また、上段容器３０は、規制部３３を更に有している。規制部３３は、ガイド部３２の前方に設けられている。規制部３３は、上段容器３０がチルド室１６内に収納されている状態において、摺動部兼接触部である突起部４５の前方への移動を規制することで蓋部材４０が開方向へ回転することを規制する機能を有する。そして、上段容器３０が後方へ移動して蓋部材４０が閉まる際に、接触部兼摺動部である突起部４５は、規制部３３に接触する前に係止部３４に接触する。
【００５８】
これによれば、上段容器３０が後方へ押し込まれて蓋部材４０が閉まる際、突起部４５は、係止部３４に接触して消音された後に規制部３３に接触する。このため、蓋部材４０が閉まる際に突起部４５が規制部３３に勢いよく当って大きな音が生じることを効果的に抑制することができる。
【００５９】
また、係止部３４と規制部３３との間には隙間Ｓを有している。つまり、上段容器３０が後方へ押し込まれて蓋部材４０が閉方向へ回転した際、突起部４５は、係止部３４に一旦当り、その後係止部３４から離れた後に規制部３３に接触する。これによれば、上段容器３０が後方へ押し込まれている間、突起部４５が、係止部３４に接触し続けることを抑制できる。その結果、突起部４５が係止部３４に擦れて、音が発生したり、突起部４５又は係止部３４が摩耗したりすることを抑制できる。
【００６０】
なお、上記実施形態において、ガイド部３２は、貯蔵室である冷蔵室１１の内壁に設けても良い。この場合、上段容器３０は、当該上段容器３０の前方への移動に伴って突起部４５を押す部材を有している。
また、規制部３３と係止部３４とは、図１８に示すように、突起部４５と接触する部分が連続した一体物に形成されていても良い。
【００６１】
また、上記実施形態において、別室としてのチルド室１６は、冷蔵室１１内の下部に限られず、冷蔵室１１内の上下方向の中央部又は上部に設けられていても良い。
また、別室としてのチルド室１６は、冷蔵室１１に限られず、冷凍温度帯の貯蔵室１３、１４、１５に設けられていても良い。
すなわち、チルド室ユニット２０と同等の機能を備えるユニットを、冷蔵室１１内の上下方向の中央部又は上部、又は冷凍温度帯の貯蔵室１３、１４、１５に設けることができる。
【００６２】
以上、本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６３】
図面中、１は冷蔵庫、１０は冷蔵庫本体、１１は冷蔵室（貯蔵室）、１６はチルド室(別室)、１６１は開口部、２１は天井部材、３０は上段容器（容器）、３２はガイド部、３４は係止部、４０は蓋部材、４３は回転軸、４５は突起部（摺動部、接触部）、を示す。
【図１】
2020148418.tif 000003
【図２】
2020148418.tif 000004
【図３】
2020148418.tif 000005
【図４】
2020148418.tif 000006
【図５】
2020148418.tif 000007
【図６】
2020148418.tif 000008
【図７】
2020148418.tif 000009
【図８】
2020148418.tif 000010
【図９】
2020148418.tif 000011
【図１０】
2020148418.tif 000012
【図１１】
2020148418.tif 000013
【図１２】
2020148418.tif 000014
【図１３】
2020148418.tif 000015
【図１４】
2020148418.tif 000016
【図１５】
2020148418.tif 000017
【図１６】
2020148418.tif 000018
【図１７】
2020148418.tif 000019
【図１８】
2020148418.tif 000020